(57)【要約】【課題】能動消音装置の消音効果を向上した送風装置を提供する。【解決手段】送風部１０の上流側に設けられた少なくとも２つの能動消音風路１１について、各能動消音風路１１内の空気の流れ方向に垂直な断面の中心軸３１を能動消音風路１１の下流側開口部１６から下流側に向かって互いに離れる方向に配置することで、他の能動消音風路１１内に設置されたスピーカ２３が発生する音を検知する現象、即ちクロストークによる消音効果の低下を防ぐことができる送風装置を提供する。【選択図】図３
2016176453.tif 000002
【特許請求の範囲】
【請求項１】
空気の流れ方向における上流側に空気を吸い込む吸込口と、
前記吸込口より吸い込んだ空気を排出する排出口と、
前記吸込口と前記排出口とを連通する送風路と、
前記送風路の内部に設けられ前記吸込口から前記排出口へと空気を導く送風部と、
前記送風部の上流側に設けられた複数の能動消音風路と、
前記能動消音風路内の消音を行う能動消音部とを備えた送風装置であって、
少なくとも２つの前記能動消音風路について、各能動消音風路内の空気の流れ方向に垂直な断面の中心軸を前記能動消音風路の下流側開口部から下流側に向かって互いに離れる方向に配置した送風装置。
【請求項２】
少なくとも２つの前記能動消音風路について、
各能動消音風路の中心軸を側面視にして交差させて配置した請求項１記載の送風装置。
【請求項３】
前記能動消音部は、
消去すべき対象音を検知するリファレンスマイクを備え、
前記能動消音風路は、
角筒形状であり、
前記リファレンスマイクを配置する面を、前記送風路に垂直な断面において最も離れた面とした請求項１又は２に記載の送風装置。
【請求項４】
前記能動消音部は、
処理後の消去対象音を検知するエラーマイクを備え、
前記能動消音風路は、
角筒形状であり、
前記エラーマイクを配置する面を、同一の能動消音風路内で前記リファレンスマイクを配置する面に対向する面とした請求項３に記載の送風装置。
【請求項５】
前記能動消音部は、
処理後の消去対象音を検知するエラーマイクを備え、
前記能動消音風路は、
角筒形状であり、
前記エラーマイクを配置する面を、前記送風路に垂直な断面において最も離れた面とした請求項１から３のいずれかに記載の送風装置。
【発明の詳細な説明】
【技術分野】
【０００１】
本発明は、騒音を低減した送風装置に関するものである。
【背景技術】
【０００２】
以下、送風装置の一例として、レンジフードについて背景技術を説明する。
【０００３】
近年、住居の間取りの多様化にともない、同一空間に台所とリビングとが設けられるケースが増加している。これに伴いリビングへの騒音の侵入を防止して静粛性を保つため、台所に設置されるレンジフードは運転時に発生する騒音を低下させることがより求められている。また、レンジフードの騒音の周波数特性は広域に分布する傾向があるので、広い周波数域において消音効果を得る必要がある。
【０００４】
このような課題を解決する手段の一つとして、レンジフード内に複数の小径風路により構成された能動消音ユニットを搭載することが知られている。（例えば特許文献１参照）。
以下、そのレンジフードについて図８を参照しながら説明する。
【０００５】
図８に示すように、従来のレンジフードは、レンジフード１０１内上方に送風機１０２と中位置に能動消音ユニット１０３と下方にフード１０４を備えて構成されていた。能動消音ユニット１０３は、送風機１０２の吸込口１０５とフード１０４の開口１０６との間に備えられた複数の小径風路１０７ａ、１０７ｂから構成され、さらにそれぞれの小径風路１０７ａ、１０７ｂに能動消音装置１０８ａ、１０８ｂを備えたものであった。
【０００６】
能動消音装置１０８ａは、吸込口１０５に近い側から下流マイク１０９ａ、スピーカ１１０ａ、上流マイク１１１ａをこの順に配置していた。また同様に能動消音装置１０８ｂは、吸込口１０５に近い側から下流マイク１０９ｂ、スピーカ１１０ｂ、上流マイク１１１ｂをこの順に配置していた。
【０００７】
そして、送風機１０２の運転によって発生する騒音を下流マイク１０９ａ、１０９ｂによって検出し、検出した騒音に対してスピーカ１１０ａ、１１０ｂから逆位相の音を発してそれぞれの小径風路１０７ａ、１０７ｂ内で騒音を打ち消して騒音の低減を図るものであった。
【０００８】
また、一般的にダクト形状の能動消音装置では、平面波が形成される周波数帯域までの制御が可能であり、この周波数Ｆはダクト口径Ｄによって変化することが知られている。具体的には、周波数Ｆは音速を用いて、Ｆ＝０．５×音速／Ｄで決定される。つまり、ダクト口径を小さくすることで、広帯域にわたり消音することが可能となる。
【０００９】
さらに能動消音ユニット１０３に複数の小径風路を備えることで、レンジフードは調理時に発生する油煙を十分に排気するための風量を確保することができるとしている。
【先行技術文献】
【特許文献】
【００１０】
【特許文献１】特開２０１４‐１６３５７０号公報
【発明の概要】
【発明が解決しようとする課題】
【００１１】
しかしながら上記特許文献１に記載のレンジフードでは、複数の小径風路１０７ａ、１０７ｂ間で互いの制御音が往来する現象（以下クロストーク）が生じる。すなわち、任意の小径風路１０７ａのスピーカ１１０ａから発信された制御音が、小径風路１０７ａ送風機１０２側の開口から放射される。この放射された制御音は、例えば送風機１０２の側面で反射するなどして、隣接する小径風路１０７ｂ内へと伝わり、小径風路１０７ｂのマイク１０９ｂが検知する。その結果、マイク１０９は、消音すべき小径風路１０７の騒音のみを検知できず、消音制御が不安定になり、消音効果が低下することが判明した。
【００１２】
つまり、複数の小径風路を備えることによって生じるクロストークの影響により、消音効果が低下するという課題があった。
【００１３】
そこで本発明は、上記課題を解決するものであり、能動消音ユニットの消音効果を向上させた送風装置を提供することを目的とする。
【課題を解決するための手段】
【００１４】
そして、本発明に係る送風装置は上記目的を達成するために、空気の流れ方向における上流側に空気を吸い込む吸込口と、前記吸込口より吸い込んだ空気を排出する排出口と、前記吸込口と前記排出口とを連通する送風路と、前記送風路の内部に設けられ前記吸込口から前記排出口へと空気を導く送風部と、前記送風部の上流側に設けられた複数の能動消音風路と、前記能動消音風路内の消音を行う能動消音部とを備えた送風装置であって、少なくとも２つの前記能動消音風路について、各能動消音風路内の空気の流れ方向に垂直な断面の中心軸を前記能動消音風路の下流側開口部から下流側に向かって互いに離れる方向に配置したものであって、これによって所期の目的を達成するものである。
【発明の効果】
【００１５】
本発明によれば、複数の能動消音風路間で生じるクロストークの影響を軽減した送風装置を提供することができる。
【図面の簡単な説明】
【００１６】
【図１】本発明の実施の形態１に係るレンジフードの設置状態を示す図
【図２】本発明の実施の形態１に係るレンジフードの概略構成を示す図
【図３】本発明の実施の形態１に係る能動消音風路近傍の側断面図
【図４】本発明の実施の形態１に係るレンジフードの側断面図
【図５】従来のレンジフードの能動消音風路近傍の側断面図
【図６】本発明の実施の形態１に係るレンジフードの能動消音風路近傍の側断面図
【図７】本発明の実施の形態２に係るレンジフードの能動消音風路近傍の側断面図
【図８】従来のレンジフードの側断面図
【発明を実施するための形態】
【００１７】
本発明の実施の形態に係る送風装置は、空気の流れ方向における上流側に空気を吸い込む吸込口と、前記吸込口より吸い込んだ空気を排出する排出口と、前記吸込口と前記排出口とを連通する送風路と、前記送風路の内部に設けられ前記吸込口から前記排出口へと空気を導く送風部と、前記送風部の上流側に設けられた複数の能動消音風路と、前記能動消音風路内の消音を行う能動消音部とを備えた送風装置であって、少なくとも２つの前記能動消音風路について、各能動消音風路内の空気の流れ方向に垂直な断面の中心軸を前記能動消音風路の下流側開口部から下流側に向かって互いに離れる方向に配置したものである。
【００１８】
この配置により、能動消音風路の下流側開口部同士の距離を大きくすることができる。これにより、能動消音風路内に設置されたマイクロホンが、他の能動消音風路内に設置されたスピーカが発生する音を検知する現象、即ちクロストークによる消音効果の低下を防ぐことができる。また２つの中心軸を送風路の空気の流れに平行に配置するよりも能動消音風路の長さを長くすることができる。これにより、リファレンスマイクで検知した音に対してスピーカから発生させる制御音を計算する時間を長くとることができる。計算する時間を長くとることができるということは即ちノイズを消去するための制御音を正確（精密）に計算することが可能ということである。つまり精密に計算された精度の高い制御音を用いて能動消音風路内の消音ができるため、消音効果を高めることができる。
【００１９】
また本発明の実施の形態に係る送風装置は、少なくとも２つの前記能動消音風路について、各能動消音風路の中心軸を側面視にして交差させて配置したものである。
【００２０】
この配置により、能動消音風路の上流側開口部においても中心軸を上流側に離れるようにすることができる。これにより、能動消音風路の上流側開口部同士の距離も大きくすることができる。よって、能動消音風路の下流側開口部側だけではなく上流側開口部側でもクロストークによる消音効果の低下を防ぐことができる。また中心軸が交わるように構成することで能動消音風路の長さをより一層長くすることができる。これにより、制御音の計算時間をさらに長くとることができ、一層消音効果を高めることができる。
【００２１】
また本発明の実施の形態に係る送風装置は、前記能動消音部は、消去すべき対象音を検知するリファレンスマイクを備え、前記能動消音風路は、角筒形状であり、前記リファレンスマイクを配置する面を、前記送風路に垂直な断面において最も離れた面としたものである。
【００２２】
これにより、少なくとも２つの前記能動消音風路内のリファレンスマイクを最も離れた位置に配置することができる。この配置により、リファレンスマイクと他の前記能動消音風路の下流側開口部との距離を離すことができる。これによりクロストークによる消音効果の低下を防ぐことができる。
【００２３】
また本発明の実施の形態に係る送風装置は、前記能動消音部は、処理後の消去対象音を検知するエラーマイクを備え、前記能動消音風路は、角筒形状であり、前記エラーマイクを配置する面を、同一の能動消音風路内で前記リファレンスマイクを配置する面に対向する面としたものである。
【００２４】
この配置により、リファレンスマイクとエラーマイクの間の距離をリファレンスマイクとエラーマイクを同じ面に設置するよりも大きくすることができる。これにより制御音の計算時間をさらに長くとることができ、一層消音効果を高めることができる。
【００２５】
また本発明の実施の形態に係る送風装置は、前記能動消音部は、処理後の消去対象音を検知するエラーマイクを備え、前記能動消音風路は、角筒形状であり、前記エラーマイクを配置する面を、前記送風路に垂直な断面において最も離れた面としたものである。
【００２６】
この配置により、エラーマイクと他の前記能動消音風路の下流側開口部との距離を離すことができる。これによりクロストークによる消音効果の低下を防ぐことができる。
【００２７】
以下、送風装置の一例としてレンジフードを用いて、本発明の実施の形態につき説明し、本発明の理解に供する。なお、以下の実施の形態は、本発明を具体化した一例であって、本発明の技術的範囲を限定するものではない。また、全図面を通して、同一の部位については同一の番号を付している。さらに、各図面において、本発明に直接には関係しない各部の詳細については説明を省略している。
【００２８】
（実施の形態１）
まず、図１を用いて本実施の形態に係るレンジフードの設置状態について説明する。なお、図１は、本発明の実施の形態１に係るレンジフードの設置状態を示す図である。
【００２９】
図１に示すように、厨房に取り付けるレンジフード１は、加熱調理機器２の上方に取り付けられている。このレンジフード１は、加熱調理機器２の上面を覆うように配置したフード部３と、このフード部３の中央上面側に突出して形成した排気部４から構成される。また排気部４の上方（排気方向）には、ダクト９が接続されており、排気部４からの排気を例えば室外に排出するための風路を構成する。なお、図１における矢印Ｘ方向から見た際のレンジフード１の一側面、すなわち調理者が調理時に向かい合うレンジフードの面をレンジフード正面と定義する。また、レンジフードの後述する送風部を操作する操作部５はフード部３のレンジフード正面側の側面に配置されている。
【００３０】
続いて、図２を用いて本実施の形態に係るレンジフード１の構成について説明する。図２は、本発明の実施の形態１に係るレンジフードの概略構成を示す図である。なお図２では、理解に供するために排気部４のレンジフード正面側のパネルを外した状態を示しており、フード部３の捕集口に備えられた整流板を二点鎖線で表している。
【００３１】
図２に示すように、レンジフード１は、直方体の排気部４とこの排気部４の下部（図の下方向であって、後述する上流方向）にフード部３を備えている。
【００３２】
排気部４は、天面６、つまり図面の上方向であって、後述する下流方向に開口した排出口７と、下部に開口した吸込口８を有する、縦長の直方体形状である。排出口７にダクト９を接続することで、レンジフード１を屋外に連通させることができる。なお、ダクト９はレンジフード１には含まれない。また、吸込口８はフード部３の調理機器側開口部２８と連通されている。
【００３３】
排気部４の内部は、吸込口８と排出口７とを連通する送風路４０と、上流側に吸込口８と連接し、送風路の上流側を２つに分割する能動消音風路１１を備えている。また、送風路４０の下流側には、送風部１０が備えられている。
【００３４】
送風部１０は、ファン１２とファン１２を駆動するモータ（図示せず）と、ファン１２からの空気を集めて排出口７へと送るケーシング１３から構成されている。すなわち、送風部１０は、排気部４内の上部にあって、吸込口８と排出口７とを結ぶ送風路４０内の空気を排気するものである。
【００３５】
フード部３は、吸込口８に連通する排気部側開口部１４と、排気部側開口部１４の上流側に設けられた調理機器側開口部２８と、排気部側開口部１４と調理機器側開口部２８の間に設けられた整流板４１（図面では二点鎖線で図示）と、調理機器側開口部２８の内側周縁と整流板の外側周縁とで構成されたフード部３への空気の取り込み口となる捕集口３０とを備えている。
【００３６】
続いて、図３を用いて本実施の形態に係るレンジフード１の能動消音風路近傍の構成について詳しく説明する。なお、図３は、本発明の実施の形態１に係る能動消音風路近傍の側断面図である。
【００３７】
２つの能動消音風路１１は角筒形状であり、図面の下方向から上方向、つまり高さ方向に空気が流れる風路が形成されている。ここで、各能動消音風路１１内部の空気の流れ方向に垂直な能動消音風路断面３４を定義すると、この能動消音風路断面３４の中心軸３１は、各能動消音風路１１の中心軸３１と一致する。そして中心軸３１は、能動消音風路１１の下流側開口部１６から下流側に向かって互いに離れる方向、つまり矢印方向３５が指す方向傾斜して配置されている。言い換えると、各能動消音風路１１内の空気の流れ方向は、能動消音風路１１の下流側開口部１６から下流側に向かって互いに離れる向きに配置されている。また各能動消音風路１１は周囲を内壁２０に囲まれており、内壁２０のさらに外側には、排気部４の側面板４３の内側である内側壁２１が位置し、この二重壁によって外部への騒音の放出を押さえる構成となっている。また各能動消音風路１１は、内部に消音を行う能動消音部２６を備えており、能動消音風路１１の下流側開口部１６とケーシング１３との間には通風中間空間１７が設けられている。
【００３８】
能動消音部２６は、複数の能動消音風路１１それぞれの内壁２０に吸込口８側から順に、上流マイクとなるエラーマイク２２、スピーカ２３、下流マイクとなるリファレンスマイク２４を備えている。そして能動消音部２６は、エラーマイク２２とリファレンスマイク２４の信号から位相と振幅を調整した制御信号を生成してスピーカ２３から発振させる演算制御器２５を備えている。
【００３９】
なお、エラーマイク２２とスピーカ２３は、能動消音風路１１の高さ方向において中央部より吸込口８側に寄せると共に、リファレンスマイク２４は、同じく中央部より騒音源である送風部１０側に寄せて設置している。なお高さ方向とは、排出口７と吸込口８を結ぶ方向である。結果としてエラーマイク２２とスピーカ２３とはリファレンスマイク２４に比べて送風部１０から遠い位置に配置されている。
【００４０】
演算制御器２５は、エラーマイク２２、スピーカ２３、リファレンスマイク２４に接続されており、能動消音風路１１の内壁２０と排気部４の内側壁２１との間の空間に配置されている。この空間は、排気部４の内側壁２１を一周する角筒形状を成しており、内壁２０と内側壁２１と上流側板４２と送風部側開口端面１８とにより送風路とは独立した空間を構成している。
【００４１】
上流側板４２は、能動消音風路１１の上流端から排気部４の内側壁２１の方向に伸びる壁面であり、送風部側開口端面１８は、能動消音風路１１の下流端から排気部４の内側壁２１の方向に伸びる壁面である。
【００４２】
このように、送風路とは独立した空間に演算制御器２５を備えることで、煙や油煙、あるいは湯気等から隔離している。
【００４３】
続いて、図４を用いて、レンジフード１の動作について説明する。なお、図４は、本発明の実施の形態１に係るレンジフードの側断面図である。
【００４４】
レンジフード１の運転は、図１等に示した操作部５を使用者が操作することで行われる。レンジフード１を運転させると送風部１０を構成するモータが駆動し、モータの回転軸に接続されたファン１２が回転することで空気の流れが発生する。つまり、図４に破線で示すように、捕集口３０を入り口とし吸込口８からダクト９方向に流れる空気流４４が発生する。
【００４５】
吸込口８から吸い込まれた空気流４４は、能動消音風路１１、通風中間空間１７、送風部１０の順に送風路を通過した後、排出口７からダクト９を通って排気部４外へと排気される。
【００４６】
つまり、レンジフード１は、調理時に下方（上流方向）から上昇してくる油煙や水蒸気を含んだ空気を空気流４４として捕集及び排気することができる。
【００４７】
さらにレンジフード１は、能動消音風路１１に能動消音部２６を備えている。能動消音部２６は、送風部１０から放射される騒音をリファレンスマイク２４で検出する。リファレンスマイク２４で検出された騒音は、騒音信号として演算制御器２５に送信される。演算制御器２５は、騒音信号に基づいて、騒音がスピーカ２３付近を通過する際の状態を予測する。そして演算制御器２５は、予想された騒音とは逆位相の音の信号、つまり制御信号を生成してスピーカ２３に送信する。スピーカ２３は、制御信号に基づいた制御音を発することにより、送風に伴う送風部１０の騒音を低減する。そして、捕集口３０からは低減された騒音が放射されることになる。なお、低減された騒音は、エラーマイク２２によって検出され、補正信号として演算制御器２５に送信される。演算制御器２５は、以後この補正信号にも基づいて制御信号を生成することで、消音性能を高めることができる。
【００４８】
以上が本実施の形態に係るレンジフード１の基本的な動作である。
【００４９】
次に本実施の形態に係るレンジフード１が解決するクロストーク現象について図５を用いて説明する。なお、図５は従来のレンジフード、つまり各能動消音風路２１１の中心軸３１ａ、中心軸３１ｂを送風路４０の空気の流れに平行になるように各能動消音風路２１１を配置した場合の能動消音風路２１１近傍の側断面図である。
【００５０】
先述したように、リファレンスマイク２４ａが検出した騒音に対し、スピーカ２３ａは逆位相の制御音を能動消音風路２１１ａ内へ放射する。この制御音は能動消音風路１１ａ内を伝わる騒音に作用し、図２にて説明した捕集口３０からは低減された音が放射されることとなる。ところが、このとき能動消音風路２１１ａのスピーカ２３ａが発生する制御音の一部は点線で示すように、能動消音風路２１１ａ内を伝わり、能動消音風路２１１ａの下流側開口部１６ａより通風中間空間１７へと放射される。そして、通風中間空間１７へ放射された制御音は通風中間空間１７内を伝わり、隣接する能動消音風路２１１ｂ内へと侵入する。そして、隣接する能動消音風路２１１ｂ内のリファレンスマイク２４ｂやエラーマイク２２ｂがこの制御信号を検知するクロストークが発生する。このクロストークによって隣接する能動消音風路２１１ｂの２つのマイク（リファレンスマイク２４ｂ、エラーマイク２２ｂ）は、それぞれが対応する能動消音風路２１１の正しい騒音よりも大きな音を検出してしまうことになる。ここで、対応するとは各能動消音風路にそれぞれ設置されたマイクのことであり、言い換えると能動消音風路２１１ａではリファレンスマイク２４ａとエラーマイク２２ａ、能動消音風路２１１ｂではリファレンスマイク２４ｂとエラーマイク２２ｂのことである。その結果、能動消音風路２１１ｂ内のスピーカ２３ｂから正しい制御音よりも大きな音を出力してしまい、さらにその音をリファレンスマイク２４ａやエラーマイク２２ａが検出し、スピーカ２３ａからさらに大きな制御音を発生する。このような現象が隣接する能動消音風路２１１間で繰り返されるため、能動消音部の制御が不安定になり、消音効果が低下することとなる。これは能動消音風路２１１ａにおいても同様に発生する。
【００５１】
続いて、本発明に係るレンジフード１におけるクロストーク削減の仕組みについて、図６を用いて説明する。なお、図６は本発明の実施の形態１に係るレンジフードの能動消音風路１１近傍の側断面図である。
【００５２】
図６における各部の構成は、図３を用いて説明したとおりである。この配置により、スピーカ２３ａが発生した制御音が下流側開口部１６ａから通風中間空間１７へ放射され、さらに下流側開口部１６ｂを介してリファレンスマイク２４ｂに伝わるまでの距離が図５に示した従来のレンジフードよりも大きくなる。よって、隣接する能動消音風路１１ｂ内のリファレンスマイク２４ｂやエラーマイク２２ｂが検知する、スピーカ２３ａから出た制御音の大きさを小さくすることができる。つまりクロストークの影響を小さくすることができ、消音効果の低下を防ぐことができる。
【００５３】
また中心軸３１が下流側開口部１６から下流側に互いに離れる方向に、能動消音風路１１を配置することで、図５に示した従来のレンジフードよりも、各能動消音風路の長さを長くすることができる。これにより、リファレンスマイク２４で検知した音に対して演算制御器が制御信号を計算する時間を長くすることができる。計算時間を長くすることができるということは即ち制御音を正確（精密）に計算することが可能ということである。そして精密に計算された精度の高い制御音を用いて能動消音風路内の消音ができるため消音効果を高めることができる。
【００５４】
以上のように、２つの能動消音風路１１の中心軸３１が下流側に互いに離れる方向に配置することで、高い消音性能を確保したレンジフード１を実現することができるのである。
【００５５】
（実施の形態２）
続いて、図７を用いて本実施の形態２に係るレンジフードについて説明する。なお、図７は、本発明の実施の形態２に係るレンジフード５０の能動消音風路１１近傍の側断面図である。
【００５６】
図７に示すように、レンジフード５０では、排出口７と吸込口８を結ぶ方向を鉛直方向としたときに側面視にして各能動消音風路５１ａ、５１ｂの中心軸３１が交差するように配置している。つまり、２つの能動消音風路１１について下流側開口部１６ａ、１６ｂだけでなく、上流側開口部３２ａ、３２ｂから上流側に向かっても、中心軸３１が互いに離れる向き、即ち矢印方向４５に配置している。
【００５７】
この配置により、スピーカ２３ａが発生した制御音が、上流側開口部３２ａから通風上流空間３３へ放射され上流側開口部３２ｂに伝わるまでの距離が図５に示した従来のレンジフードよりも大きくなる。これにより、能動消音風路５１ｂの上流側開口部３２ｂにおいても、スピーカ２３ａが発生した制御音は小さくなる。つまりクロストークの影響を小さくすることができ、消音効果の低下を防ぐことができる。なお、通風上流空間３３は、整流板４１とフード部３の吸込口８側の天板とに挟まれた、捕集した空気を吸込口８に導く風路空間である。
【００５８】
また中心軸３１を側面視にして交差するように配置することで、図５に示した従来のレンジフードや、さらには実施の形態１にて示したレンジフード１よりも各能動消音風路の長さを長くすることができる。これにより、制御信号を計算する時間をさらに長くすることができ、一層消音効果を高めることができる。
【００５９】
さらに、下流側開口部１６ａと１６ｂの距離も大きくなっているので、実施形態１のレンジフード１の効果も得ることができる。
【００６０】
以上のように、各能動消音風路１１の中心軸３１を側面視にして交差するように配置することで、高い消音性能を確保したレンジフード５０を実現することができるのである。
【００６１】
（変形例）
以上、送風装置の中でも特に消音が必要とされる一例として、レンジフードの消音技術について説明を行った。しかしながら、本発明はレンジフードに限定する必要は無く、空気清浄機や除湿機、換気扇など、送風により騒音が発生する送風装置であれば適用することができる。
【００６２】
また、本実施の形態では、２つの能動消音風路から構成されているが、消音対象の周波数帯域に応じて能動消音風路の数を増やしても良い。
【産業上の利用可能性】
【００６３】
本発明にかかる送風装置は、クロストークの発生を抑制することができるので、レンジフードに限らず、空気清浄機や除湿機、換気扇など、送風により騒音が発生する送風装置に応用することができ有用である。
【符号の説明】
【００６４】
１、５０  レンジフード（送風装置の一例）
２  加熱調理機器
３  フード部
４  排気部
５  操作部
６  天面
７  排出口
８  吸込口
９  ダクト
１０  送風部
１１、１１ａ、１１ｂ、２１１、２１１ａ、２１１ｂ  能動消音風路
１２  ファン
１３  ケーシング
１４  排気部側開口部
１６、１６ａ、１６ｂ  下流側開口部
１７  通風中間空間
１８  送風部側開口端面
２０  内壁
２１  内側壁
２２、２２ａ、２２ｂ  エラーマイク
２３、２３ａ、２３ｂ  スピーカ
２４、２４ａ、２４ｂ  リファレンスマイク
２５  演算制御器
２６  能動消音部
２８  調理機器側開口部
３０  捕集口
３１、３１ａ、３１ｂ  中心軸
３２ａ、３２ｂ  上流側開口部
３３  通風上流空間
３４  能動消音風路断面
４０  送風路
４１  整流板
４２  上流側板
４３  側面板
４４  空気流
５１ａ、５１ｂ  能動消音風路
【図１】
2016176453.tif 000003
【図２】
2016176453.tif 000004
【図３】
2016176453.tif 000005
【図４】
2016176453.tif 000006
【図５】
2016176453.tif 000007
【図６】
2016176453.tif 000008
【図７】
2016176453.tif 000009
【図８】
2016176453.tif 000010